(57)【要約】      （修正有）【課題】全身のマッサ−ジを受けることができ、その効果により、寝たきりの人でも、床擦れが生ぜず、筋肉に梁を持たせ、また、内臓の機能が活発となり、血液の循環も良くすることができ、さらに自分で汚物の処理ができ、点滴が家庭にて受けられ、家庭で使用できる介護用ベッドを提供する。【解決手段】背ウオ−タ−ベッドＷＢからなる背もたれ部１、座部２および下肢部３を有する座椅子であり、それぞれ水圧によるマッサ−ジが可能なマッサ−ジ部１００、２００、２０２、３００を有すると共にトイレ部２０１を備える。背もたれ部１と下肢部３を平らにすることにより介護用ベットとして使用することができる。トイレ部２０１が、消臭材２０１１入りの便器タンク部２０１０を備え、重さが掛かると下方に傾斜して汚物を落下させる蓋２０１２を備えてなり、点滴を可能とする点滴部２０７及び院内感染防護部２０８を備えてなる。【選択図】図１
2009005942.tif 000002
【特許請求の範囲】
【請求項１】
角度を変えることができる背もたれ部を有してなる座椅子をウオ−タ−ベッドとしてなり、当該背もたれ部に水圧によるマッサ−ジが可能なマッサ−ジ部を有し、当該座椅子の座部に相当する部位には水圧によるマッサ−ジが可能なマッサ−ジ部を有すると共にトイレ部を備え、当該座部に相当する部位に延在して角度を変えることができる下肢部を有し、当該下肢部にも水圧によるマッサ−ジが可能なマッサ−ジ部を有してなり、前記背もたれ部の角度を変えて平らにし、前記下肢部を平らにすることにより介護用ベットとして使用することができることを特徴とするトイレ付きウオ−タ−ベッド。
【請求項２】
各マッサ−ジ部が、袋体内部に水を封入又は送り込み、当該水の水圧によりマッサ−ジが可能なマッサ−ジ部により構成され、又、当該袋体内部の水の温度を調節して冷暖房可能としてなることを特徴とする、請求項１に記載のトイレ付きウオ−タ−ベッド。
【請求項３】
背もたれ部のマッサ−ジ部が、複数の袋体の各袋体内部に水を封入又は送り込み、当該各袋体内部の水の異なった水圧によるマッサ−ジが可能な複数のマッサ−ジ部により構成されていることを特徴とする、請求項１又は２に記載のトイレ付きウオ−タ−ベッド。
【請求項４】
トイレ部が、消臭材入りの便器タンク部を備えてなることを特徴とする、請求項１、２又は３に記載のトイレ付きウオ−タ−ベッド。
【請求項５】
トイレ部の消臭材入りの便器タンク部が、重さが掛かると下方に傾斜して汚物を落下させる蓋を備えてなることを特徴とする、請求項１、２、３又は４に記載のトイレ付きウオ−タ−ベッド。
【請求項６】
座椅子の座部に相当する部位に、点滴を可能とする点滴部を備えてなることを特徴とする、請求項１、２、３、４又は５に記載のトイレ付きウオ−タ−ベッド。
【請求項７】
座椅子の座部に相当する部位に、院内感染防護部を備えてなることを特徴とする、請求項１、２、３、４、５又は６に記載のトイレ付きウオ−タ−ベッド。
【発明の詳細な説明】
【技術分野】
【０００１】
本発明は、トイレ付きウオ−タ−ベッドに関するものである。
【背景技術】
【０００２】
ベッドは、通常、寝れるようになってはいるが、寝たきりの人のように、自分では動けない人では、床擦れが生じ、又、関節などを適度に動かさないと筋肉が伸びたままになってしまい、内臓の機能が弱まり、血液の循環も悪くなる。
ベッドとして、全体が一つになったシ−トやマット内部に水を封入してその上に人を浮かせて寝かせるウオ−タ−ベッドがあるが、寝たきりの人では、ウオ−タ−ベッドではあっても、関節などを適度に動かさないと筋肉が伸びたままになってしまい、内臓の機能が弱まり、血液の循環も悪くなる。
床擦れを防止する等には寝る方向を変えてもらう等の介護者による十分な介護があればよいが、介護者の負担を出来るだけ軽減して、寝たきりの状態で自分では動けないような人ではあっても、その身体全体のマッサ−ジを受けることができ、そのマッサ−ジ効果により、介護が仮に不十分であっても、床擦れが生ぜず、又、関節などが自然に適度に動かされて筋肉に張りを持たすことができ、その運動機能により、内臓の機能が活発となり、血液の循環も良くなることができるような日常生活で使用でき特に家庭において使用できるような介護用ベッドの出現が望まれる。
一方、患者や老人などでは、汚物の処理が懸案事項であり、介護の中でも一番手数の掛かることであり、介護者などの援助を軽減できるようになっていればよいが、上記のようなベッド類では、便器を取付けている場合もあるが、介護者の手助けが必要で、ある程度自分で処理できるようにはなっていないのが現状である。
【発明の開示】
【発明が解決しようとする課題】
【０００３】
本発明は、上記のような従来技術の欠点を解消できる技術を提供することを目的としたものである。
本発明の他の目的および新規な特徴は以下の明細書及び図面の記載からも明らかになるであろう。
【課題を解決するための手段】
【０００４】
本発明の特許請求は、次の通りである。
（請求項１）  角度を変えることができる背もたれ部を有してなる座椅子をウオ−タ−ベッドとしてなり、当該背もたれ部に水圧によるマッサ−ジが可能なマッサ−ジ部を有し、当該座椅子の座部に相当する部位には水圧によるマッサ−ジが可能なマッサ−ジ部を有すると共にトイレ部を備え、当該座部に相当する部位に延在して角度を変えることができる下肢部を有し、当該下肢部にも水圧によるマッサ−ジが可能なマッサ−ジ部を有してなり、前記背もたれ部の角度を変えて平らにし、前記下肢部を平らにすることにより介護用ベットとして使用することができることを特徴とするトイレ付きウオ−タ−ベッド。
（請求項２）  各マッサ−ジ部が、袋体内部に水を封入又は送り込み、当該水の水圧によりマッサ−ジが可能なマッサ−ジ部により構成され、又、当該袋体内部の水の温度を調節して冷暖房可能としてなることを特徴とする、請求項１に記載のトイレ付きウオ−タ−ベッド。
（請求項３）  背もたれ部のマッサ−ジ部が、複数の袋体の各袋体内部に水を封入又は送り込み、当該各袋体内部の水の異なった水圧によるマッサ−ジが可能な複数のマッサ−ジ部により構成されていることを特徴とする、請求項１又は２に記載のトイレ付きウオ−タ−ベッド。
（請求項４）  トイレ部が、消臭材入りの便器タンク部を備えてなることを特徴とする、請求項１、２又は３に記載のトイレ付きウオ−タ−ベッド。
（請求項５）  トイレ部の消臭材入りの便器タンク部が、重さが掛かると下方に傾斜して汚物を落下させる蓋を備えてなることを特徴とする、請求項１、２、３又は４に記載のトイレ付きウオ−タ−ベッド。
（請求項６）  座椅子の座部に相当する部位に、点滴を可能とする点滴部を備えてなることを特徴とする、請求項１、２、３、４又は５に記載のトイレ付きウオ−タ−ベッド。
（請求項７）  座椅子の座部に相当する部位に、院内感染防護部を備えてなることを特徴とする、請求項１、２、３、４、５又は６に記載のトイレ付きウオ−タ−ベッド。
【発明の効果】
【０００５】
本願において開示される発明のうち代表的なものによって得られる効果を簡単に説明すれば、下記のとおりである。
すなわち、本発明によれば、背もたれ部でも、又、座椅子の座部に相当する部位でも、更には、下肢部でもそれぞれ被介護者はその全体のマッサ−ジを受けることができ、そのマッサ−ジ効果により、寝たきりの人で自分では動けないような人でも、介護が仮に不十分であっても、家庭において、床擦れが生ぜず、又、関節などが自然に適度に動かされて筋肉に梁を持たすことができ、その運動機能により、内臓の機能が活発となり、血液の循環も良くすることができる。
又、汚物の処理に際し、トイレ部に便器タンク部を備え、当該便器タンク部の内部には消臭材が収納され、当該便器タンク部の上部は開口されていて、重さが掛かると下方に傾斜して汚物を落下させる蓋を備えてなるので、介護者の手助けがなくても、自分で汚物の処理ができる。
点滴が家庭にて受けられ、音楽、テレビなどの視聴も可能で、寝たきりの人でも、病院に行かずに、家庭にて介護を行うことができる。
本発明によれば、床擦れを防止する等には寝る方向を変えてもらう等の介護者による十分な介護があればよいが、介護者の負担を出来るだけ軽減して、寝たきりの状態で自分では動けないような人ではあっても、その身体全体のマッサ−ジを受けることができ、そのマッサ−ジ効果により、介護が仮に不十分であっても、床擦れが生ぜず、又、関節などが自然に適度に動かされて筋肉に張りを持たすことができ、その運動機能により、内臓の機能が活発となり、血液の循環も良くなることができるような日常生活で使用でき特に家庭において使用できるような介護用ベッドを提供することができる。
【０００６】
次に、本発明の実施例を図面を参照しつつ説明する。
【実施例】
【０００７】
図１及び図２に示すように、本発明のトイレ付きウオ−タ−ベッドＷＢは、背もたれ部１と座椅子の座部に相当する部位２と下肢部３とを備えてなる。
当該ウオ−タ−ベッドＷＢは、その全体が座椅子の主要部様又はマッサ−ジ機様に構成されている。
【０００８】
上記の背もたれ部１は、水圧によるマッサ−ジが可能なマッサ−ジ部１００と本体部１０１とを備えてなっている。
当該背もたれ部１には、上記のように、水圧によるマッサ−ジが可能なマッサ−ジ部１００を有しているが、当該マッサ−ジ部１００は、複数のユニットマッサ−ジ部１０００、１００１、１００２、１００３及び１００４よりなっている。即ち、ここでは、当該マッサ−ジ部１００が、５個のユニットマッサ−ジ部１０００、１００１、１００２、１００３及び１００４よりなっている例を示してあるが、適宜当該個数は変更できる。
当該ユニットマッサ−ジ部１０００、１００１、１００２、１００３及び１００４は、それぞれ、袋体Ｆと当該袋体Ｆ中に封入された水とからなる。
図示では、各袋体Ｆの内部に、それぞれ、水Ｗが封入されている例を示してあるが、当該各水Ｗを、当該袋体Ｆに送り込み、当該袋体Ｆから外部に排水するようにしてもよい。
当該背もたれ部１は、図示矢標に示すように、角度を変えることができるようになっている。
当該マッサ−ジ部１００により、寝たきりの人等は、主に、背中から腰にかけて、マッサ−ジを受けることができる。
本発明では、上記のように、当該マッサ−ジ部１００は、各独立した複数の異なったユニットマッサ−ジ部１０００、１００１、１００２、１００３及び１００４よりなっており、その為、袋体Ｆ中の水Ｗの封入量や供給量などによりその水圧を調節することにより、当該複数のユニットマッサ−ジ部１０００、１００１、１００２、１００３及び１００４で、各々異なったマッサ−ジを受けることができる。又、順次上部ユニットマッサ−ジ部１０００から下部ユニットマッサ−ジ部１００４にかけて流れるようにマッサ−ジを受けることができる。
上記の袋体Ｆは、例えば、布、皮革から構成されている。
【０００９】
図１及び図２に示すように、上記の座椅子の座部に相当する部位２には、水圧によるマッサ−ジが可能なマッサ−ジ部２００を有すると共にトイレ部２０１を備えてなる。
当該水圧によるマッサ−ジが可能なマッサ−ジ部２００は、図示が省略されているが、前記ユニットマッサ−ジ部１０００などと同様に、袋体の内部に水を封入し、又は当該水を当該袋体に送り込み、排水するようにすればよい。
当該マッサ−ジ部２００は、図２に示すように、当該座椅子の座部に相当する部位２の両側に配設されている。
当該トイレ部２０１は、便器タンク部２０１０を備えてなる。当該便器タンク部２０１０の内部には、消臭材２０１１が収納されている。当該消臭材２０１１は、例えば、木酢酸液よりなる。
当該便器タンク部２０１０は、断熱材容器により構成されている。当該便器タンク部２０１０は、その上部が開口されており、重さが掛かると下方に傾斜して汚物を落下させる蓋２０１２を備えてなる。
当該便器タンク部２０１０には、その図示が省略されているが、取り出しし易いように取っ手が例えば断熱材容器外壁に取り付けられている。
当該トイレ部２０１には、前記の両側マッサ−ジ部２００に加えて、当該トイレ部２０１の便器タンク部２０１０の周囲に、水圧によるマッサ−ジが可能なマッサ−ジ部２０２を有する。当該水圧によるマッサ−ジが可能なマッサ−ジ部２０２は、前記水圧によるマッサ−ジが可能なマッサ−ジ部２００と同様の構成よりなる。
当該座椅子の座部に相当する部位２では、当該マッサ−ジ部２００により、寝たきりの人等は、主に、腰部や太股のマッサ−ジを受けられ、又、トイレ部２０１の周囲の水圧によるマッサ−ジが可能なマッサ−ジ部２０２により、お尻や太股の裏のマッサ−ジを受けられようになっている。
【００１０】
図１に示すように、上記の座椅子の座部に相当する部位２は、台座２０３の上に載置され、安定化されている。
当該台座２０３の上部には、回転機構２０４を備え、当該回転機構２０４の上に載置された上記の座椅子の座部に相当する部位２の全体を回転させることができる。又、背もたれ部１と下肢部３をも回転させることができる。
当該座椅子の座部に相当する部位２には、トイレ付きウオ−タ−ベッドＷＢの水圧管理等を行う動作機構部２０５が備えられている。
又、当該座椅子の座部に相当する部位２には、トイレ付きウオ−タ−ベッドＷＢを自動で又は手動操作させるためのスイッチング部２０６が備えられている。
更に、当該座椅子の座部に相当する部位２には、点滴を吊るための吊り具の取り付け用穴２０７が設けられており、当該当該座椅子の座部に相当する部位２の両側に位置する各当該取り付け用穴２０７に当該点滴を吊るための吊り具のポ−ル（図示せず）を差し込み、点滴を受けられるようにすることができる。
更に又、当該座椅子の座部に相当する部位２には、院内感染防止柵取り付け用穴２０８が設けられており、当該当該座椅子の座部に相当する部位２の両側に位置する各当該取り付け用穴２０８に当該院内感染防止柵のポ−ル（図示せず）を差し込み、院内感染を防止できるようにしてある。
当該点滴を吊るための吊り具の取り付け用穴２０７を院内感染防止柵取り付け用穴として利用してもよいし、又、逆に、院内感染防止柵取り付け用穴２０８を点滴を吊るための吊り具の取り付け用穴２０７として利用してもよい。
【００１１】
トイレ付きウオ−タ−ベッドＷＢの下肢部３は、人の下肢の膝から踝（クルブシ）に至る部分の載せ部３００は、足載部３０１とを備えてなる。
当該人の下肢の膝から踝（クルブシ）に至る部分の載せ部３００も足載部３０１も共に、水圧によるマッサ−ジが可能なマッサ−ジ部３０００及び水圧によるマッサ−ジが可能なマッサ−ジ部３００１が具備されており、図示が省略されているが、前記ユニットマッサ−ジ部１０００などと同様に、袋体の内部に水を封入し、又は当該水を当該袋体に送り込み、排水するようにする。
当該足載部３０１には、突起部３０１０を備えている。
当該水圧によるマッサ−ジが可能なマッサ−ジ部３０００及び水圧によるマッサ−ジが可能なマッサ−ジ部３００１により、脛などのマッサ−ジを受け、又、足裏のマッサ−ジを受けることができる。
又、足載部３０１における突起部３０１０により、足裏に刺激を受けることができる。
【００１２】
本発明のトイレ付きウオ−タ−ベッドＷＢは、家庭において介護用ベッドとして、例えば、図３に示すようにして、使用することができる。
当該ウオ−タ−ベッドＷＢは、その全体が座椅子の主要部様又はマッサ−ジ機様に構成されているので、特に介護用と意識せずに、座椅子又はマッサ−ジ機のような意識で使用すればよい。
当該ウオ−タ−ベッドＷＢにおける座椅子の座部に相当する部位２のスイッチング部２０６のスイッチを押して自動又は手動操作を選択する。個々の水圧によるマッサ−ジが可能なマッサ−ジ部１００等について自動又は手動操作を選択することができる。
当該スイッチング部２０６と連動して水圧管理等を行う動作機構部２０５が機能する。
当該動作機構部２０５は、当該水圧によるマッサ−ジが可能なマッサ−ジ部１００等についての水圧の管理の他に、電気温水の管理も行う。即ち、当該水圧によるマッサ−ジが可能なマッサ−ジ部１００等については、水Ｗの袋体Ｆへの封入又は送水で説明したが、当該水Ｗについて温水となすこともできる。即ち、本発明のトイレ付きウオ−タ−ベッドＷＢは、夏は冷水で冷房し、一方、冬季は、温水として冷暖房を可能とすることができるので、温水の際の温水管理を当該動作機構部２０５で行う。
背もたれ部１における水圧によるマッサ−ジが可能なマッサ−ジ部１００は、前記のように、複数のユニットマッサ−ジ部１０００、１００１、１００２、１００３及び１００４よりなっており、上記スイッチング部２０６のスイッチング操作により、その水圧を調節することにより、当該複数のユニットマッサ−ジ部１０００、１００１、１００２、１００３及び１００４で、背中から腰にかけて、各々異なったマッサ−ジを受けることができ、又、順次上部ユニットマッサ−ジ部１０００から下部ユニットマッサ−ジ部１００４にかけて流れるようなマッサ−ジを受けることができる。
当該スイッチング部２０６のスイッチング操作により、又、手動で、当該背もたれ部１の角度を変えることができるようになっているので、その時々に応じた自己に合った角度を選択することができる。
当該背もたれ部１の上部には、聴視機構４が設けられているので、当該聴視機構４により音楽を視聴したり、又は、テレビを視聴したりすることができるようになっている。寝たきりの人でも、音楽を視聴したり、又は、テレビを視聴したりすることができるようになっている。当該聴視機構４の動作の為の機構が、前記の動作機構部２０５に備えられている。
当該ウオ−タ−ベッドＷＢにおける座椅子の座部に相当する部位２では、水圧によるマッサ−ジが可能なマッサ−ジ部２００により腰部や太股のマッサ−ジを受けることができる。
当該ウオ−タ−ベッドＷＢにおける座椅子の座部に相当する部位２におけるトイレ部２０１には、当該マッサ−ジ部２００に加えて、当該トイレ部２０１の便器タンク部２０１０の周囲の水圧によるマッサ−ジが可能なマッサ−ジ部２０２によりお尻や太股の裏のマッサ−ジを受けることができる。
当該ウオ−タ−ベッドＷＢにおける座椅子の座部に相当する部位２におけるトイレ部２０１には、便器タンク部２０１０を備えており、当該便器タンク部２０１０の内部には、例えば、木酢酸液よりなる消臭材２０１１が例えば深さ１０ｃｍ位で収納されている。
被介護者は、介護者の手を煩わせずに、排便することができる。即ち、便器タンク部２０１０の上部でそのまま排便し便が溜まると、その重さで蓋２０１２が下方に傾斜して排便を落下させて、当該便器タンク部２０１０の内部の消臭材２０１１中に沈下させるので、殆んど臭いはなく、しかも、人の手を煩わせない。
当該蓋２０１２への付着が多少あったときには、備え付けの噴水機５により洗い流すことができるようになっている。当該噴水機５は、例えば、図示のように、噴水機本体部５００のポンプ５０１を押すと、ノズル部５０２から水が噴出するようになっている。
を備えてなる。
当該便器タンク部２０１０には、取り出しし易いように取っ手が例えば断熱材容器外壁に取り付けられているので、適宜当該タンク部２０１０内部の消臭材２０１１等を変えることが出来る。
被介護者は、当該座椅子の座部に相当する部位２には、点滴を吊るための吊り具の取り付け用穴２０７が設けられているので、当該当該座椅子の座部に相当する部位２の両側に位置する各当該取り付け用穴２０７に当該点滴を吊るための吊り具のポ−ルを差し込み、点滴を受けることができ、病院ではなく、家庭にて点滴を受けることができるようになったいる。
当該座椅子の座部に相当する部位２には、院内感染防止柵取り付け用穴２０８が設けられているので、当該当該座椅子の座部に相当する部位２の両側に位置する各当該取り付け用穴２０８に当該院内感染防止柵のポ−ルを差し込み、院内感染を防止できるようになっている。
座椅子の座部に相当する部位２の下部には回転機構２０４が位置し、当該回転機構２０４の下部には台座２０３が位置するので、スイッチング部２０６のスイッチイング動作により、当該台座２０３の上部の当該回転機構２０４の上に載置された上記の座椅子の座部に相当する部位２の全体を回転させ、又、背もたれ部１と下肢部３をも回転させることができるので、適宜家庭内の狭い空間でも対処できる。
トイレ付きウオ−タ−ベッドＷＢの下肢部３では、人の下肢の膝から踝（クルブシ）に至る部分の載せ部３００及び足載部３０１にて、その水圧によるマッサ−ジが可能なマッサ−ジ部３０００及び水圧によるマッサ−ジが可能なマッサ−ジ部３００１により、脛などのマッサ−ジを受け、又、足裏のマッサ−ジを受けることができ、又、足載部３０１における突起部３０１０により、足裏にも刺激を受けることができる。
上記のように、本発明のトイレ付きウオ−タ−ベッドＷＢでは、背もたれ部１でも、又、座椅子の座部に相当する部位２でも、更には、下肢部３でもそれぞれ被介護者はその全体のマッサ−ジを受けることができ、そのマッサ−ジ効果により、寝たきりの人で自分では動けないような人でも、介護が仮に不十分であっても、家庭において、床擦れが生ぜず、又、関節などが自然に適度に動かされて筋肉に梁を持たすことができ、その運動機能により、内臓の機能が活発となり、血液の循環も良くなることができる。
又、汚物の処理に際し、トイレ部２０１に便器タンク部２０１０を備え、当該便器タンク部２０１０の内部には消臭材２０１１が収納され、当該便器タンク部２０１０の上部は開口されていて、重さが掛かると下方に落下する蓋２０１２を備えてなるので、介護者の手助けがなくても、自分で汚物の処理ができる。
点滴が家庭にて受けられ、音楽、テレビなどの視聴も可能で、寝たきりの人でも、病院に行かずに、家庭にて介護を行うことができる。
食事に際しても、背もたれ部１にスライド式に食卓台などを設置する又は座椅子の座部に相当する部位２等に食卓台などを載置する等して、食事をすることができるので、本発明のトイレ付きウオ−タ−ベッドＷＢは、日常的に寝たきりの人でも十分に床擦れ等を生ぜずに暮らしていけるようになっている。
【００１３】
本発明のトイレ付きウオ−タ−ベッドＷＢは、図４に示すように、夜眠るときには、前記背もたれ部１の角度を変えて平らにし、又、下肢部３を平らにすることによりベットとして使用することができる。
【００１４】
本発明は上記実施例に限定されず、適宜変更が可能である。
【産業上の利用可能性】
【００１５】
本発明は、各種の場合に適用できる。
【図面の簡単な説明】
【００１６】
【図１】本発明の実施例を示すトイレ付きウオ−タ−ベッドの側面図である。
【図２】本発明の実施例を示すトイレ付きウオ−タ−ベッドの平面図である。
【図３】本発明のトイレ付きウオ−タ−ベッドの使用例を示す側面図である。
【図４】本発明のトイレ付きウオ−タ−ベッドの他の使用例を示す側面図である。
【符号の説明】
【００１７】
１…背もたれ部
２…座椅子の座部に相当する部位
３…下肢部
５…噴水機
１００…マッサ−ジ部
２０１…トイレ部
２０７…点滴部
２０８…院内感染防護部
２０１０…便器タンク部
２０１１…消臭材
２０１２…蓋
Ｆ…袋体
Ｗ…水
ＷＢ…トイレ付きウオ−タ−ベッド
【図１】
2009005942.tif 000003
【図２】
2009005942.tif 000004
【図３】
2009005942.tif 000005
【図４】
2009005942.tif 000006
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
角度を変えることができる背もたれ部を有してなる座椅子をウオ−タ−ベッドとしてなり、当該背もたれ部に水圧によるマッサ−ジが可能なマッサ−ジ部を有し、当該座椅子の座部に相当する部位には水圧によるマッサ−ジが可能なマッサ−ジ部を有すると共にトイレ部を備え、当該座部に相当する部位に延在して角度を変えることができる下肢部を有し、当該下肢部にも水圧によるマッサ−ジが可能なマッサ−ジ部を有してなり、前記背もたれ部の角度を変えて平らにし、前記下肢部を平らにすることにより介護用ベッドとして使用することができることを特徴とするトイレ付きウオ−タ−ベッド。
【請求項２】
各マッサ−ジ部が、袋体内部に水を封入又は送り込み、当該水の水圧によりマッサ−ジが可能なマッサ−ジ部により構成され、又、当該袋体内部の水の温度を調節して冷暖房可能としてなることを特徴とする、請求項１に記載のトイレ付きウオ−タ−ベッド。
【請求項３】
背もたれ部のマッサ−ジ部が、複数の袋体の各袋体内部に水を封入又は送り込み、当該各袋体内部の水の異なった水圧によるマッサ−ジが可能な複数のマッサ−ジ部により構成されていることを特徴とする、請求項１又は２に記載のトイレ付きウオ−タ−ベッド。
【請求項４】
トイレ部が、消臭材入りの便器タンク部を備えてなることを特徴とする、請求項１、２又は３に記載のトイレ付きウオ−タ−ベッド。
【請求項５】
トイレ部の消臭材入りの便器タンク部が、重さが掛かると下方に傾斜して汚物を落下させる蓋を備えてなることを特徴とする、請求項１、２、３又は４に記載のトイレ付きウオ−タ−ベッド。
【請求項６】
座椅子の座部に相当する部位に、点滴を可能とする点滴部を備えてなることを特徴とする、請求項１、２、３、４又は５に記載のトイレ付きウオ−タ−ベッド。
【請求項７】
座椅子の座部に相当する部位に、院内感染防護部を備えてなることを特徴とする、請求項１、２、３、４、５又は６に記載のトイレ付きウオ−タ−ベッド。
【手続補正２】
【補正対象書類名】明細書
【補正対象項目名】０００４
【補正方法】変更
【補正の内容】
【０００４】
本発明の特許請求の範囲は、次の通りである。
（請求項１）  角度を変えることができる背もたれ部を有してなる座椅子をウオ−タ−ベッドとしてなり、当該背もたれ部に水圧によるマッサ−ジが可能なマッサ−ジ部を有し、当該座椅子の座部に相当する部位には水圧によるマッサ−ジが可能なマッサ−ジ部を有すると共にトイレ部を備え、当該座部に相当する部位に延在して角度を変えることができる下肢部を有し、当該下肢部にも水圧によるマッサ−ジが可能なマッサ−ジ部を有してなり、前記背もたれ部の角度を変えて平らにし、前記下肢部を平らにすることにより介護用ベッドとして使用することができることを特徴とするトイレ付きウオ−タ−ベッド。
（請求項２）  各マッサ−ジ部が、袋体内部に水を封入又は送り込み、当該水の水圧によりマッサ−ジが可能なマッサ−ジ部により構成され、又、当該袋体内部の水の温度を調節して冷暖房可能としてなることを特徴とする、請求項１に記載のトイレ付きウオ−タ−ベッド。
（請求項３）  背もたれ部のマッサ−ジ部が、複数の袋体の各袋体内部に水を封入又は送り込み、当該各袋体内部の水の異なった水圧によるマッサ−ジが可能な複数のマッサ−ジ部により構成されていることを特徴とする、請求項１又は２に記載のトイレ付きウオ−タ−ベッド。
（請求項４）  トイレ部が、消臭材入りの便器タンク部を備えてなることを特徴とする、請求項１、２又は３に記載のトイレ付きウオ−タ−ベッド。
（請求項５）  トイレ部の消臭材入りの便器タンク部が、重さが掛かると下方に傾斜して汚物を落下させる蓋を備えてなることを特徴とする、請求項１、２、３又は４に記載のトイレ付きウオ−タ−ベッド。
（請求項６）  座椅子の座部に相当する部位に、点滴を可能とする点滴部を備えてなることを特徴とする、請求項１、２、３、４又は５に記載のトイレ付きウオ−タ−ベッド。
（請求項７）  座椅子の座部に相当する部位に、院内感染防護部を備えてなることを特徴とする、請求項１、２、３、４、５又は６に記載のトイレ付きウオ−タ−ベッド。
【手続補正３】
【補正対象書類名】明細書
【補正対象項目名】０００５
【補正方法】変更
【補正の内容】
【０００５】
本願において開示される発明のうち代表的なものによって得られる効果を簡単に説明すれば、下記のとおりである。
すなわち、本発明によれば、背もたれ部でも、又、座椅子の座部に相当する部位でも、更には、下肢部でもそれぞれ被介護者はその全体のマッサ−ジを受けることができ、そのマッサ−ジ効果により、寝たきりの人で自分では動けないような人でも、介護が仮に不十分であっても、家庭において、床擦れが生ぜず、又、関節などが自然に適度に動かされて筋肉に張りを持たすことができ、その運動機能により、内臓の機能が活発となり、血液の循環も良くすることができる。
又、汚物の処理に際し、トイレ部に便器タンク部を備え、当該便器タンク部の内部には消臭材が収納され、当該便器タンク部の上部は開口されていて、重さが掛かると下方に傾斜して汚物を落下させる蓋を備えてなるので、介護者の手助けがなくても、自分で汚物の処理ができる。
点滴が家庭にて受けられ、音楽、テレビなどの視聴も可能で、寝たきりの人でも、病院に行かずに、家庭にて介護を行うことができる。
本発明によれば、床擦れを防止する等には寝る方向を変えてもらう等の介護者による十分な介護があればよいが、介護者の負担を出来るだけ軽減して、寝たきりの状態で自分では動けないような人ではあっても、その身体全体のマッサ−ジを受けることができ、そのマッサ−ジ効果により、介護が仮に不十分であっても、床擦れが生ぜず、又、関節などが自然に適度に動かされて筋肉に張りを持たすことができ、その運動機能により、内臓の機能が活発となり、血液の循環も良くなることができるような日常生活で使用でき特に家庭において使用できるような介護用ベッドを提供することができる。
【手続補正４】
【補正対象書類名】明細書
【補正対象項目名】００１１
【補正方法】変更
【補正の内容】
【００１１】
トイレ付きウオ−タ−ベッドＷＢの下肢部３は、人の下肢の膝から踝（クルブシ）に至る部分の載せ部３００は、足載部３０１とを備えてなる。
当該人の下肢の膝から踝（クルブシ）に至る部分の載せ部３００も足載部３０１も共に、水圧によるマッサ−ジが可能なマッサ−ジ部３０００及び水圧によるマッサ−ジが可能なマッサ−ジ部３０１０が具備されており、図示が省略されているが、前記ユニットマッサ−ジ部１０００などと同様に、袋体の内部に水を封入し、又は当該水を当該袋体に送り込み、排水するようにする。
当該足載部３０１には、突起部３０１１を備えている。
当該水圧によるマッサ−ジが可能なマッサ−ジ部３０００及び水圧によるマッサ−ジが可能なマッサ−ジ部３０１０により、脛などのマッサ−ジを受け、又、足裏のマッサ−ジを受けることができる。
又、足載部３０１における突起部３０１１により、足裏に刺激を受けることができる。
【手続補正５】
【補正対象書類名】明細書
【補正対象項目名】００１３
【補正方法】変更
【補正の内容】
【００１３】
本発明のトイレ付きウオ−タ−ベッドＷＢは、図４に示すように、夜眠るときには、前記背もたれ部１の角度を変えて平らにし、又、下肢部３を平らにすることによりベッドとして使用することができる。